(57)【要約】  広告媒体と、広告情報をメモリに保持するリーダライタと、広告媒体の交換に関する更新用指示データが記憶された更新専用タグとを備えるようにし、携帯型情報端末またはカード等に内蔵される外部タグがリーダライタに非接触でかざされる際、リーダライタによって外部タグに対して広告情報が送信されるようにし、一方で、広告媒体の差し替え時に更新専用タグがリーダライタに非接触でかざされると、リーダライタによって更新用指示データが取り込まれて、メモリの広告情報が更新されることを特徴とする電子看板である。これにより、広告媒体の差し替え時に、電子看板の保持データを非接触の通信機能を利用して自動的に新しいデータに書き換えることができる。
2009028205.tif 000002
【特許請求の範囲】
【請求項１】
広告媒体と、前記広告媒体に関連する広告情報をメモリに保持するリーダライタと、前記広告媒体の交換に関する更新用指示データが記憶された更新専用タグと、を備え、
携帯型情報端末またはカード等に内蔵される外部タグが前記リーダライタに非接触でかざされる際、前記リーダライタによって前記外部タグに対して前記広告情報が送信され、一方、
前記広告媒体の差し替え時に前記更新専用タグが前記リーダライタに非接触でかざされると、前記リーダライタによって前記更新用指示データが取り込まれて、前記メモリの前記広告情報が更新されることを特徴とする電子看板。
【請求項２】
前記更新専用タグは前記広告媒体に設けられており、
前記広告媒体が差し替えられると、前記リーダライタは、前記更新専用タグを検知して書き換えモードに切り替わり、前記更新用指示データを取り込んで前記メモリの広告情報を更新し、
更新完了後、前記リーダライタは、前記外部タグとの間で前記広告情報を送受信するための通常モードに復帰することを特徴とする請求の範囲１に記載の電子看板。
【請求項３】
複数の前記リーダライタが、前記広告媒体の複数の異なる箇所に対応して配置されることを特徴とする請求の範囲１又は２に記載の電子看板。
【請求項４】
複数の前記リーダライタは、アンテナ部と制御部とが分離して形成されると共に、複数の前記リーダライタ間で単一の前記制御部を共有するようになっており、
複数の前記アンテナ部が、前記広告媒体の前記複数の異なる箇所に装着されることを特徴とする請求の範囲３記載の情報表示パネル。
【請求項５】
前記制御部は前記メモリを備えており、
複数の前記アンテナ部のいずれかを介して受信された前記更新用指示データに基づいて、前記メモリの前記広告情報を更新することを特徴とする請求の範囲４記載の電子看板。
【請求項６】
前記メモリの前記広告情報の更新が正常に行われた否かを、音および／または光で報知することを特徴とする請求の範囲１〜５のいずれかに記載の電子看板。
【請求項７】
前記更新専用タグは、前記広告媒体への直接印刷方式で設けることを特徴とする請求の範囲１〜６のいずれかに記載の電子看板。
【請求項８】
前記更新専用タグを、シール、ラベル等の間接媒体への直接印刷方式で形成し、前記間接媒体が前記広告媒体に貼り付けられることを特徴とする請求の範囲１〜６のいずれかに記載の電子看板。
【請求項９】
前記更新専用タグは、ＩＣチップ個体をシールやラベル等の間接媒体に直接接着することで形成され、前記間接媒体が前記広告媒体に貼り付けられることを特徴とする請求の範囲１〜６のいずれかに記載の電子看板。
【請求項１０】
前記更新専用タグは、ＩＣチップ個体を前記広告媒体に直接接着することで形成されることを特徴とする請求の範囲１〜６のいずれかに記載の電子看板。
【請求項１１】
前記広告媒体の背面に、該広告媒体を背面から面状に照明照射する照明装置を設け、かつ、該照明装置の背面に、前記リーダライタを配置したことを特徴とする請求の範囲１〜１０のいずれかに記載の電子看板。
【請求項１２】
前記広告媒体は、面状を成す形態であることを特徴とする請求の範囲１〜１１のいずれかに記載の電子看板。
【請求項１３】
面状の前広告媒体が収容される筐体を備えることを特徴とする請求の範囲１２に記載の電子看板。
【請求項１４】
広告媒体と、前記広告媒体に関連する広告情報をメモリに保持するリーダライタを備える電子看板の前記広告情報の情報更新方法であって、
携帯型情報端末またはカード等に内蔵される外部タグが前記リーダライタに非接触でかざされると、前記リーダライタは前記外部タグに対して前記広告情報を送信する一方で、前記広告媒体の差し替え時には、前記広告媒体の交換に関する更新用指示データが記憶された更新専用タグを前記リーダライタに非接触でかざすことで、前記リーダライタによって前記更新用指示データが取り込まれて、前記メモリの前記広告情報が更新されることを特徴とする電子看板の情報更新方法。
【請求項１５】
前記更新専用タグを前記広告媒体に設置することで、前記広告媒体が差し替えられると、前記リーダライタは、前記更新専用タグを自動的に検知して前記更新用指示データを取り込んで前記メモリの広告情報を更新することを特徴とする請求の範囲１４に記載の電子看板の情報更新方法。
【発明の詳細な説明】
【技術分野】
【０００１】
本発明は携帯型情報端末やカード等に内蔵される、ＲＦＩＤ(Radio Frequency Identification)タグ等の非接触情報記憶媒体(以下、これらを総称して「外部タグ」という)を、広告媒体(広告パネル、広告ポスター)の近辺にかざすことで、外部タグとリーダライタの間で情報の送受信を行う電子看板に関する。
【背景技術】
【０００２】
従来、非接触情報記憶媒体をポスター表面にかざして、非接触で広告媒体の背面に設置したＲＦＩＤリーダライタとの間で双方向にデータを送受信する電子看板として、例えば、特許文献１：特開２００２−１８５５６５号公報、特許文献２：特開２００６−３１５３１号公報、特許文献３：特開２００７−３４３６２号公報が知られている。【０００３】
この種のＲＦＩＤリーダライタ内臓の電子看板においては、広告媒体と連動したデジタルコンテンツ、例えばインターネットのホームページへ正確にアクセスできることが求められる。例えば、電子看板に内蔵された上記のＲＦＩＤリーダライタが保持する広告情報として、ＵＲＬ情報を用いる場合、このＵＲＬ情報が、広告媒体と連動したインターネットのホームページのＵＲＬと一致することが必要となる。そのため、電子看板から広告媒体を取り外して、新しい別の広告媒体に差し替える場合、ＲＦＩＤリーダライタのデータ（広告情報）を、新しいリンク先のデータに上書きしなければならい。
【発明の開示】
【発明が解決しようとする課題】
【０００４】
しかしながら、上記の特許文献１〜３に記載の電子看板にあっては、電子看板から広告媒体を差し替える場合に、差し替え作業と連動してＲＦＩＤリーダライタのデータ、例えば、管理ＩＤ、ＵＲＬ等を自動で上書きして変更する技術に関する開示はなされていない。【０００５】
このため、従来、電子看板から広告媒体を取り外して差し替えるときには、ＲＦＩＤリーダライタに対してパーソナルコンピュータや携帯型情報端末等を接続し、書き換え設定専用のアプリケーションを起動して、ＲＦＩＤリーダライタにおける旧ＵＲＬを上書きしなければならない。また更に、広告媒体と連動したインターネットのホームページ上の新しいＵＲＬを、これらのパーソナルコンピュータや携帯型情報端末等を利用して目視して確認しなければならない、という問題がある。【０００６】
本発明は、上記の問題に鑑みて創案されたもので、広告媒体の差し替え時に、電子看板の保持データを、非接触の通信機能を利用して自動的に新しいデータに書き換えることで、広告媒体の差し替え作業を正確、迅速、かつ能率的に行える電子看板を提供することを目的とする。
【課題を解決するための手段】
【０００７】
上記目的を達成する本発明は、広告媒体と、前記広告媒体に関連する広告情報をメモリに保持するリーダライタと、前記広告媒体の交換に関する更新用指示データが記憶された更新専用タグと、を備え、携帯型情報端末またはカード等に内蔵される外部タグが前記リーダライタに非接触でかざされる際、前記リーダライタによって前記外部タグに対して前記広告情報が送信され、一方、前記広告媒体の差し替え時に前記更新専用タグが前記リーダライタに非接触でかざされると、前記リーダライタによって前記更新用指示データが取り込まれて、前記メモリの前記広告情報が更新されることを特徴とする電子看板である。【０００８】
上記発明によれば、ポスター等の広告媒体に設けた更新専用タグに更新用指示データを記憶させているので、旧ポスターを取り外して新しいポスターに差し替える（貼り替える）場合、更新専用タグを用いることで、極めて簡単に広告情報を更新することが可能となる。これにより、誰でも簡単にポスター等の広告媒体を差し替えることができ、利用者による、広告媒体に関連したデジタルコンテンツ等へのアクセスを安全かつ確実に行うことができる。なお、広告情報としては、例えばリンク先のＵＲＬデータや、リンク先を切り替えるための管理ＩＤ等を含んでいる。【０００９】
上記目的を達成する本発明の電子看板は、上記発明において、前記更新専用タグは前記広告媒体に設けられており、前記広告媒体が差し替えられると、前記リーダライタは、前記更新専用タグを検知して書き換えモードに切り替わり、前記更新用指示データを取り込んで前記メモリの広告情報を更新し、更新完了後、前記リーダライタは、前記外部タグとの間で前記広告情報を送受信するための通常モードに復帰することを特徴とする。【００１０】
本発明によれば、広告媒体を交換するだけで、それに付随する更新専用タグがリーダライタに自動的に近づく。そのため、新しいポスターの更新専用タグに記憶された更新用指示データが、非接触で電子看板側に設けたリーダライタに自動的に検出され、広告情報を確実に更新することができる。なお、本発明における上記更新専用タグやリーダライタは、例えばＲＦＩＤタグやＩＣタグで形成されるが、これらのタグはパッシブタグ(受動タグ)であってもよく、また、アクティブタグ(能動タグ)であってもよい。非接触情報記憶媒体とリーダライタの情報伝達方式は、双方のアンテナ部の間で信号を双方向に伝達するものであり、電磁誘導方式または電波方式などを含んでいる。【００１１】
なお、上記手段では広告媒体に更新専用タグを付随させる場合であるが、本発明はこれに限定されない。例えば、広告媒体を差し替え作業する作業者に更新用指示データを記憶させた更新専用タグを持たせておき、電子看板から旧いポスターを取り外して新しいポスターを貼り替える場合に、作業者が更新専用タグをリーダライタにかざすようにする。この結果、リーダライタの旧広告情報が、新しい広告情報に非接触で自動的に上書きして記憶させることができる。これにより、広告媒体の差し替え時における更新用指示データへの上書きを、一度に一括して行える、これにより、ポスター等の差し替え作業時におけるデータ更新を正確かつ能率的に行うことができる。【００１２】
上記目的を達成する本発明の電子看板は、上記発明において、複数の前記リーダライタが、前記広告媒体の複数の異なる箇所に対応して配置されることを特徴とする。このようにすると、一つの電子看板から多数の情報を入手することができるようになる。また、広告媒体において、リーダライタの位置に対応して、複数のアクセスポイント(通信ポイント)を設けることができる。この結果、利用者は種々のデジタルコンテンツのうち、好みのコンテンツを選択的にアクセスすることができる。【００１３】
上記目的を達成する本発明の電子看板は、上記発明において、複数の前記リーダライタは、アンテナ部と制御部とが分離して形成されると共に、複数の前記リーダライタ間で単一の前記制御部を共有するようになっており、複数の前記アンテナ部が、前記広告媒体の前記複数の異なる箇所に装着されることを特徴とする。【００１４】
上記手段によれば、一個の制御部に、複数のアンテナ部をタコ足状態にリード線で結線することで、複数のリーダライタを構成できる。この結果、各リーダライタがコンパクトになるため、情報媒体のアクセスポイントを多く設定することが可能となり、広告媒体作成の自由度を増すことができる。また、制御部と比較して、アンテナ部は薄型に構成できるので、共有される制御部を周囲のフレーム近辺に収容することで、電子看板を薄く構成することができる。また、アクセスポイントが多くなっても、アンテナ部を増やすだけで対応できるので、リーダライタ周りの回路構成をシンプルに設計でき、ひいては、安価に製造できるようになる。【００１５】
上記目的を達成する本発明の電子看板は、上記発明において、前記制御部は前記メモリを備えており、複数の前記アンテナ部のいずれかを介して受信された前記更新用指示データに基づいて、前記メモリの前記広告情報を更新することを特徴とする。【００１６】
上記手段によれば、広告媒体を貼り替える場合に、更新専用タグは、いずれかのアンテナ部との間で非接触による通信を行うことができる。その結果、例えば、新しい広告媒体に設けた更新専用タグに記憶されている更新用指示データが、アンテナ部を通じて制御部に格納(記憶)され、複数のアンテナ部に対応する複数の広告情報を、一度に更新することができる。【００１７】
上記目的を達成する本発明の電子看板は、上記発明において、前記メモリの前記広告情報の更新が正常に行われた否かを、音および／または光で報知することを特徴とする。【００１８】
上記手段によれば、更新又は上書きが正常に行われた場合と、そうでない場合とを、音および／または光で作業者が認識できるので、広告媒体の差し替え作業者は、広告媒体の差し替え作業における更新用指示データの上書きが正常に行われた否かを容易に確認することができる。このため、広告媒体の差し替え作業を能率良く行えるようになる。【００１９】
上記目的を達成する本発明の電子看板は、上記発明において、前記更新専用タグは、広告媒体への直接印刷方式で設けることを特徴とする。【００２０】
上記手段によれば、広告媒体の印刷作業と同時に、更新専用タグを刷り込むことができるので、広告媒体の製作コストを低減することができる。【００２１】
上記目的を達成する本発明の電子看板は、上記発明において、前記更新専用タグを、シール、ラベル等の間接媒体への直接印刷方式で形成し、前記間接媒体が前記広告媒体に貼り付けられることを特徴とする。【００２２】
上記手段によれば、上記直接印刷方式とは異なり、更新専用タグをシール、ラベル等の間接媒体に印刷して事前に形成することができる。従って、広告媒体の完成後に、その表裏いずれかの面に貼り付けるだけで、広告媒体に更新専用タグを設けることができる。このため、広告媒体のデザイン性、製作の自由度を高めることができるようになる。【００２３】
上記目的を達成する本発明の電子看板は、上記発明において、前記更新専用タグは、ＩＣチップ個体をシールやラベル等の間接媒体に直接接着することで形成され、前記間接媒体が前記広告媒体に貼り付けられることを特徴とする。【００２４】
上記手段によれば、ＩＣチップ個体をシールやラベル等に直接に接着するだけで、更新専用タグを構成することができる。これを広告媒体の表裏いずれかに貼り付ければ、更新専用タグ付きの広告媒体を容易に製作できるようになる。【００２５】
上記目的を達成する本発明の電子看板は、上記発明において、前記更新専用タグは、ＩＣチップ個体を前記広告媒体に直接接着することで形成されることを特徴とする。【００２６】
上記手段によれば、ＩＣチップ個体を広告媒体に直接貼り付けるだけなので、極めて容易に更新専用タグ付きの広告媒体を容易に製作できるようになる。【００２７】
上記目的を達成する本発明の電子看板は、上記発明において、前記広告媒体の背面に、該広告媒体を背面から面状に照明照射する照明装置を設け、かつ、該照明装置の背面に、前記リーダライタを配置したことを特徴とする。【００２８】
上記手段によれば、リーダライタを広告媒体と照明装置との間に配置するのではなく、照明装置の背面側に実装したので、照明装置が発光しても、広告媒体にリーダライタの陰影が映り込まない。この結果、外観体裁に優れた照明付きの電子看板を得ることが可能となる。【００２９】
上記目的を達成する本発明の電子看板は、上記発明において、前記広告媒体は、面状を成す形態であることを特徴とする。このようにすることで、薄型のパネル形態の電子看板を得ることができる。なお、この広告媒体は、紙やフィルム状に構成されていても良く、また、合成樹脂等の板（パネル）状に構成されていても良い。【００３０】
上記目的を達成する本発明の電子看板は、上記発明において、面状の前広告媒体が収容される筐体を備えることを特徴とする。この筐体によって、剛性が高く、外部の衝撃に強い電子看板を得ることができる。【００３１】
上記目的を達成する本発明は、広告媒体と、前記広告媒体に関連する広告情報をメモリに保持するリーダライタを備える電子看板の前記広告情報の情報更新方法であって、携帯型情報端末またはカード等に内蔵される外部タグが前記リーダライタに非接触でかざされると、前記リーダライタは前記外部タグに対して前記広告情報を送信する一方で、前記広告媒体の差し替え時には、前記広告媒体の交換に関する更新用指示データが記憶された更新専用タグを前記リーダライタに非接触でかざすことで、前記リーダライタによって前記更新用指示データが取り込まれて、前記メモリの前記広告情報が更新されることを特徴とする電子看板の情報更新方法である。【００３２】
上記目的を達成する本発明の情報更新方法は、上記発明において、前記更新専用タグを前記広告媒体に設置することで、前記広告媒体が差し替えられると、前記リーダライタは、前記更新専用タグを自動的に検知して前記更新用指示データを取り込んで前記メモリの広告情報を更新することを特徴とする。
【発明の効果】
【００３３】
本発明によれば、更新専用タグを備えた広告媒体を差し替えだけで、あるいは、更新専用タグをリーダライタにかざすだけで、更新用指示データに基づいて広告情報の更新を極めて容易に行える。この結果、広告媒体の差し替え時におけるデータの上書きミスを低減し、広告媒体のデジタルコンテンツに関するデータと、リーダライタのメモリに保存(記憶)されている広告情報の不一致を確実に防止でき、広告媒体の差し替え作業の能率化を図ることができる。
【図面の簡単な説明】
【００３４】
【図１】本発明の実施形態に係る電子看板の外観斜視図である。
【図２】同じく、実施形態の電子看板を分解して示した要部外観斜視図である。
【図３】同じく、実施形態に係る制御部のブロック図である。
【図４】同じく、実施形態に係る動作を示すメインフロー図である。
【図５】同じく、実施形態のＲ／Ｗ通常モードにおけるフロー図である。
【図６】同じく、実施形態のポスター交換作業におけるフロー図である。
【図７】同じく、実施形態のＲ／Ｗ書き換えモードにおけるフロー図である。
【図８】上記実施形態の第１変形例に係り、電子看板を分解して示した図２と同様の要部外観斜視図である。
【図９】同じく、第１変形例に係る電子看板の外観斜視図である。
【図１０】上記実施形態の第２変形例に係り、電子看板を分解して示した要部外観斜視図である。
【図１１】同じく、第２変形例に係る電子看板の外観斜視図である。
【発明を実施するための最良の形態】
【００３５】
以下、本発明を実施するための最良の実施形態を図面に基づいて説明する。なお、各実施形態を示す図面については、均等部材または均等部分には、これらに付したと同一の符号を付すものとする。【００３６】
本実施形態に係る電子看板の基本形態の概要を説明する。図１，図２に示すように、本実施形態の電子看板１は、電子看板１は様々なデザインを施した広告媒体(以下、「ポスター」または「広告物」という)２と、その背面から広告媒体２を照明するために広告媒体の背面に設けたエッジライト方式の照明装置３と、照明装置３の背面に配置される固定板４と、該固定板の背面に配置される保護板５と、上記各部材２〜５の外周を囲う筐体となる額縁部材６とから構成される。【００３７】
ポスター２には、アンテナ部とＩＣタグとを一体化して形成したＲＦＩＤタグ、すなわち、更新専用タグ７が印刷方式で設けられる。この更新専用タグ７は、デジタルコンテンツにアクセスを可能にするリンク先のＵＲＬ等の更新用指示データが記憶される。更新専用タグ７は、後述するＲＦＩＤリーダライタ８との間で、非接触により更新用指示データが送受信できる機能を有するように構成されている。【００３８】
なお、更新専用タグ７は、直接印刷方式で形成したが、シールやラベル等の間接媒体に更新専用タグ７を直接印刷し、この間接媒体をポスター２に貼り付けるようにしてもよい。また、更新専用タグ７としてのＩＣチップ個体をシールやラベルに直接貼り付けて形成し、これをポスター２に貼り付ける形態としてもよい。勿論、更新専用タグ７としてのＩＣチップ個体をポスター２に直接貼り付けるようにしても良い。【００３９】
照明装置３は、広告パネル２の背面に付着される光透過性の導光板３ａと、導光板３ａの背面に付着され、例えば鏡面仕上げを施した光の反射機能を有する反射板３ｂと、導光板３ａおよび反射板３ｂの両エッジに沿って配置される光源ユニット３ｃと、光源ユニット３ｃに配備される光源としてのＬＥＤ３ｄと、導光板３ａに設けたレンズ部３ｅとで構成される。【００４０】
複数個のＬＥＤ３ｄは、プラグ１１を介して電源に接続されて点灯するものであり、光源ユニット３ｃにおいて、導光板３ａの端面に対峙するように埋設される。この結果、ＬＥＤ３ｄから照射された光は導光板３ａの両側縁から入射するようになっている。【００４１】
上記レンズ部３ｅは、導光板３ａにおけるポスター２側の表面全面に、集光機能を有する多数の小さなレンズとして形成され、これにより導光板３ａに入射されたＬＥＤ３ｄの光が、主としてレンズ部３ｅから広告媒体２の背面側に照射される。これにより、照明装置３は、面発光状態となり、ポスター２をムラが生じないように明るく均一に照らすことができるようになっている。なお、ここではレンズタイプの導光板を示したが、本発明はこれに限定されず、レーザーや機械によってＶ字カットの溝を形成した導光板等を用いることも勿論可能である。【００４２】
なお、図示はしないが、ポスター２が紙である場合には、その前面に透明の保護部材を配置し、ポスター２が汚れないようにしてもよい。もっとも、ポスター２が合成樹脂の薄膜シート（パネル）材で形成される場合には、係る保護部材を必ずしも要しない。【００４３】
固定板４の前面または背面には、ＲＦＩＤタグとしてのＲＦＩＤリーダライタ(以下、「リーダライタ」という)８が設けられる。リーダライタ８は固定板４の外周に沿って渦巻き状に配線したアンテナ部９と、アンテナ部９で送受信される信号データが入出力されるメモリ部（ＩＣタグ）を有する制御部１０とで構成される。【００４４】
また、電子看板１には、ポスター２の差し替え(貼り替え)を行っているか否かを検知する不図示の検知センサー（以下、「広告パネルセンサー」という）が組み込まれている。さらに電子看板１（リーダライタ８）には、特に図示しない報知装置が組み込まれている。この報知装置は、ポスターの差し替えが行われ、更新専用タグ７によって、制御部１０に記憶されている旧いリンク先（広告情報）が新しいリンク先（広告情報）に上書きして更新されたか否かを、それぞれ光の点滅やビープ音で報知する。なお、この報知装置は、携帯型情報端末やＩＣカードに内蔵されるＩＣタグとなる外部タグＭが、リーダライタ８にかざされたときに、リーダライタ８が外部タグＭとの間で正確に通信できたか否かについても、上記更新専用タグ７の読み取り時と異なる光の点滅やビープ音で報知するようになっている。【００４５】
制御部１０は、アンテナ部９を通じて外部タグＭとの間で送受信されるＩＤ情報を、保持(記憶)および処理する基本的なデータ制御機能を有する。制御部１０は、この基本的な制御機能の他に、ポスター２に設けた更新専用タグ７との間でも更新用指示データの送受信が可能となっている。これにより、旧いポスターが新しいポスター２に差し替えられるときに、新しいポスター２に設けたＲＦＩＤタグ７に記憶された更新用指示データが、リーダライタ８の制御部１０へ非接触で送信されることで、旧いデータ（広告情報）が上書きされて保持できるようになっている。【００４６】
制御部１０は、図３のブロック図に示されるように、データを演算処理するＣＰＵ１０ａ、データを保持する記憶部１０ｂと、ポスター交換作業判断部１０ｃと、モード切換え判断部１０ｄと、外部タグ感知部１０ｅと、報知判断部１０ｆと、保持ＩＤデータ比較部１０ｇとを有する。なお、この記憶部１０ｂはＩＣタグを用いることも可能である。【００４７】
ポスター交換作業判断部１０ｃは、ポスター差し替え検知センサーの出力信号に基づいて、この電子看板１が、ポスター差し替え作業時にあるか、それとも通常使用時にあるかを判断する。【００４８】
モード切換え判断部１０ｄは、ポスター交換作業判断部１０ｃが通常使用時と判断した場合に、リーダライタ８をリーダライタ通常モード（外部タグ送受信モード）にし、一方で、ポスター交換作業判断部１０ｃがポスター差し替え作業時と判断した場合に、リーダライタ８をリーダライタ書き換え（上書き）モードに切り替える。このリーダライタ書き換えモードは、記憶部１０ｂに保持されるデータ（広告情報）を上書きする。外部タグ感知部１０ｅは、外部タグＭがリーダライタ８にかざされたか否かを感知する。報知判断部１０ｆは、報知装置に報知を行うべきか否かの指令信号を出力する。保持ＩＤデータ比較部１０ｇは、リーダライタ８と更新専用タグ７とが保持するＩＤデータが合致するか否かを比較する。【００４９】
なお、本実施形態では、ポスター交換作業判断部１０ｃが、ポスター差し替え検知センサーの出力信号に基づいてモードを切り替えるようにしているが、本発明はこれに限定されない。例えば、更新専用タグ７に、リーダライタ書き換えモードに切り替えるためのモード切替情報を記憶させておき、リーダライタ８が、このモード切替情報を受信した際に、ポスター交換作業判断部１０ｃがポスター差し替え作業時であることを判断するようにしても良い。【００５０】
なお、本実施形態における上記外部タグＭ、更新専用タグ７、および上記リーダライタ８は、電池を内臓する必要のないパッシブタグ(受動タグ)であってもよく、また、電池を内臓し自ら電波を発する形態のアクティブタグ(能動タグ)であってもよい。本実施形態における外部タグＭ、更新専用タグ７とリーダライタ８の情報伝達方式は、双方のアンテナ部の間で信号を双方向に伝達するものであり、電磁誘導方式または電波方式などを含んでいる。【００５１】
この電子看板１を組みたてる際には、図２に示すように、ほぼ同一の平板形状に形成されたポスター２、導光板３ａと、反射板３ｂと、光源ユニット３ｃとで成る照明装置３、固定板４、保護板５、および光源ユニット等を順次組み込み、それらの外周縁を額縁部材６で囲って保持し、一体化する。【００５２】
本実施形態の動作を主として図４〜図７に示すフロー図を参照して説明する。図４は動作のメインフローを示す。制御部８は、リーダライタ通常モード(Ｒ／Ｗ通常モード)のステップＡと、ポスター交換作業判断部１０ｃに基づいてポスター交換作業にあるか否かを判断するステップＢと、該ステップＢでＹＥＳと判断された場合にはリーダライタ８が保持するデータを上書きするＲ／Ｗ書き換えモードのステップＣと、書き換え完了を終了するステップＤとでなる。ステップＤの書き換え完了後は、Ｒ／Ｗ通常モードとなるステップＡに戻る。ステップＢにおいてＮＯと判断された場合にもステップＡに戻るようになっている。【００５３】
Ｒ／Ｗ通常モードでは、ポスター２の更新専用タグ７が保持する管理ＩＤ等のデータ（更新指示データ）と、リーダライタ８の記憶部１０ｂが保持する管理ＩＤ等のデータ（広告情報）とが合致した状態にある。これにより、外部タグＭの利用者は、ポスター２に表示された内容に関連する情報を、手軽に外部タグＭで受信して、所定のコンテンツにアクセスし、望みの情報を得ることができる。【００５４】
図５に基づいて、Ｒ／Ｗ通常モードのルーチンであるステップＡをより具体的に説明する。Ｒ／Ｗ通常モードＡにおいては、外部タグＭがポスター２の上からかざされると（図１参照）、リーダライタ８が外部タグＭを検出し（ステップＡ１）、ステップＡ２で通信可能か否かが判断される。通信可能であると判断された場合には、ステップＡ３に進み、外部タグのＲＦＩＤタグが保持するデータの読み込みが開始される。【００５５】
ステップＡ４では、ステップＡ３における読み込みが正常に行われたか否かが判断され、正常であると判断された場合には、ステップＡ５に進んで、外部タグＭ等のタグＩＤ、リーダライタ８のＩＤ、保持ＩＤ（広告情報）等といった各種データに基づいて、外部タグＭに送信するための送信データが生成される。なお、この送信データは、ポスターに関連するＵＲＬとなる保持ＩＤが含まれるようにする。なお、この電子看板１が、インターネット等の公衆通信回線網を介して管理サーバに接続されている場合には、この管理サーバに送信するための情報も生成される。【００５６】
ステップＡ６では、リーダライタ８により、上記送信データを利用した外部タグＭに対する読み書きがおこなわれ、それが正常に実行された否かが判断される（ステップＡ７）。正常であると判断された場合、報知判断部１０ｆにより完了指示が発せられ、報知装置から光と音による読み書き完了が報知される（ステップＡ８）。ステップＡ４又はステップＡ８で、失敗又は異常であると判断された場合には、ステップＡ９に進み、報知装置によって、正常時とは異なる光と音により読み書きができなかったことが報知される。以上のようにして、Ｒ／Ｗ通常モードＡが実行される。【００５７】
図６に基づいて、ポスター交換時のモード切替について詳細に説明する。ステップＢにおいて、ポスターの交換作業を行う場合、ステップＢ１でモード切換え部１０ｄにより、Ｒ／Ｗモードの確認が行われる。ステップＢ１において、Ｒ／Ｗ通常モード、即ち記憶部１０ｂが保持している保持ＩＤ（ＵＲＬ／広告情報）を外部タグに送信する送信モードであると判断された場合には、ステップＢ２に進み、広告パネルセンサーがＯＮしたか否かが判断される。【００５８】
ステップＢ２において、広告パネルセンサーがＯＮであり、ポスターの交換作業が行われると判断された場合には、ステップＢ３に進み、モード切換え判断部１０ｄによりリーダライタ８を書き込みモードに変更する。その後、ステップＢ４において、ポスター交換作業中を示すフラグを「ＹＥＳ」にして、図４のメインフローにリターンする（ステップＢ４）。一方、ステップＢ２において、広告パネルセンサーがＯＦＦであると判断された場合には、ステップＢ７へ進み、ポスター交換作業中を示すフラグを「ＮＯ」にして、図４のメインフローのステップＡにリターンする。【００５９】
ステップＢ１において、モード切換え判断部１０ｄにより、保持ＩＤ情報の書き込みモード（リーダライタ書き換えモード）であると判断した場合には、ステップＢ５に進む。ステップＢ５において、広告パネルセンサーがＯＦＦであると判断した場合には、リーダライタ８を送信モード（Ｒ／Ｗ通常モード）へ変更した後（ステップＢ６）、ステップＢ７において、ポスター交換作業中を示すフラグを「ＮＯ」にして、図４のメインフローにリターンする。ステップＢ５において、広告パネルセンサーがＯＮと判断された場合には、ステップＢ４に進んでポスター交換作業中を示すフラグを「ＹＥＳ」にし、図４のメインフローのステップＣへ復帰する。【００６０】
次に、Ｒ／Ｗ書き換えモードの動作ルーチンＣを、図７のフロー図に基づいて詳細に説明する。リーダライタ８へのデータの書き込みが開始されると（ステップＣ）、リーダライタ８は、ポスター２に設けた更新専用タグ７から保持ＩＤ情報（更新指示データ）を読み込む（ステップＣ１）。ステップＣ２で読み込みが成功すると、ステップＣ３に進み、保持ＩＤデータ比較部１０ｇにおいて、リーダライタ８が保持する保持ＩＤ情報と、更新専用タグ７の保持ＩＤとが合致するか否かが判断される。【００６１】
ステップＣ３で保持ＩＤ情報が一致しないと判断された場合には、新しいポスター２が設置されたと判断し、更新専用タグ７から読み取った保持ＩＤ情報を、リーダライタ８に上書きし（ステップＣ４）、ステップＣ５に進んで、書き込みが無事に完了したことを報知判断部１０ｆが判断して、報知装置が光と音とにより通知する。その後、図４のメインフローへ戻り（ステップＣ６）、リーダライタ８がＲ／Ｗ通常モードに切り替わる。【００６２】
一方、ステップＣ２において、更新専用タグ７が保持する保持ＩＤ情報の読み込みに失敗した場合には、報知手段により、ステップＣ５で発する光や音とは異なる光や音により、書き込み失敗を通知し（ステップＣ７）、ステップＣ６を経てメインフローに戻り、Ｒ／Ｗ通常モードに切り替わる。【００６３】
また、ステップＣ３において、リーダライタ８の保持ＩＤと更新専用タグ７の保持ＩＤが一致している場合は、既に更新が完了していると判断し、ステップＣ６を経てメインフローに戻り、Ｒ／Ｗ通常モードに切り替わる。【００６４】
本実施形態によれば、旧いポスターを新しいポスター２に差し替える場合に、ポスター２に設けた更新専用タグ７がリーダライタ８との間で通信を行うので、自動的にリーダライタ８が保持する旧いデータ（保持ＩＤ）が新しい更新用指示データ（保持ＩＤ）に上書きして書き換えられる。このため、利用者は望みのデジタルコンテンツを確実に閲覧し、ダウンロードすることができる。【００６５】
また、本実施形態によれば、Ｒ／Ｗ通常モード（ステップＡ）において、例えば、携帯型情報端末により望みのコンテンツへアクセスして情報を利用する場合、携帯型情報端末をポスター２の上からかざす。すると、携帯型情報端末が内臓する外部タグＭがリーダライタ８の保持するＩＤを読み出す。これにより、携帯型情報端末の起動制御コードが指定され、コンテンツ提供サービス業者が指定され、携帯型情報端末に内蔵されるアプリケーションが指定され、データの送信が開始し、ポスターと連動したデジタルコンテンツの送受信が実行される。【００６６】
また、リーダライタ８が保持する保持ＩＤがＵＲＬの場合には、携帯型情報端末の外部タグが、このＵＲＬをリーダライタ８から受け取る。このＵＲＬを基に、携帯型情報端末のブラウザ（アプリケーション）が起動し、携帯電話用のインターネットのホームページが設置されるサーバと交信して、携帯電話用のインターネット上におけるホームページの閲覧が可能となる。【００６７】
また、本実施形態は、照明装置３の背面にリーダライタ８を配置したので、リーダライタの陰影がポスター２に反映することはなく、デザイン性に優れ、外観体裁の良い電子看板１を得ることができる。なお、本発明の電子看板は、上記実施形態に限定されるものではなく、本発明の要旨を逸脱しない範囲内において種々変更を加え得ることは勿論である。【００６８】
例えば、リーダライタ８の構成に関して、上記実施形態では固定板４全体を一個のリーダライタとして構成した場合であったが、図８、図９に示す第１変形例のようなリーダライタ１２であってもよい。【００６９】
すなわち、第１変形例のリーダライタ１２は、基板１２ａにアンテナ部１２ｂと、ＩＣチップでなる制御部１２ｃとを一体化して構成され、これを固定板４に接着する。ポスター２には、外部タグＭをかざす位置を示すアクセスポイント(通信ポイント)が印刷される。第１変形例では、例えば、もみじの葉マーク１３がデザインされた通信ポイントが印刷される。ポスター２のもみじ葉マーク部分には更新専用タグ７が予め添付される。【００７０】
第１変形例によれば、もみじ葉マークを目印に外部タグ７をかざすことで、リーダライタ８と非接触でデータの送受信することできる。ポスター２の差し替え時には、更新専用タグ７がリーダライタ１２に自動的に近づけられるので、Ｒ／Ｗ書き換えモードＣが実行可能な状態に移行し、リーダライタ１２の保持ＩＤが更新用指示データに上書きされる。【００７１】
また、上記実施形態では、固定板４に一個のアンテナ部９と、一個の制御部１０とを設けた構成であったが、この代わりに、電子看板１を図１０，図１１に示す第２変形例の態様にすることも可能である。すなわち、固定板４に対して複数個、例えば５個のリーダライタを設定するが、各リーダライタの５個のアンテナ部１４ａは、一個の制御部１４ｂを共有するようになっている。このようにすることで、リーダライタ１４を複数構成する一方、ポスター２側にはアンテナ部１４ａの位置に対応して５個のもみじ葉マーク（アクセスポイント）１３をあしらった態様の電子看板１とする。【００７２】
係る第２変形例によれば、図１１のように、いずれかのもみじ葉マーク１３に外部タグＭをかざすことで、様々なコンテンツにアクセスする通常モードが実行可能となる。また、ポスター２が貼り替えられるときは、更新専用タグ７により、いずれかのアンテナ部１４ａとの間で送受信を行うだけで、Ｒ／Ｗ書き換えモードＣが実行可能な状態にできる利点がある。【００７３】
また、実施形態においては、エッジライト方式の導光板３ａを備えた場合を例に挙げて説明したが、これに限定されないことは言うまでもない。好ましくは面発光する照明装置を採用する。例えば、エレクトロルミネッセンス(ＥＬ)方式のシートや、液晶パネルを利用した構成など、他の面発光構造の照明装置を採用にすることも可能である。また、導光板３ａの光源もＬＥＤに限定されず、ＥＥＥＬ（外部電極蛍光管）、ＣＣＥＬ（冷陰極管）、ＨＣＦＬ（熱陰極管）などを用いることもできる。【００７４】
また、電子看板は照明装置３を具備する態様であったが、照明装置３を有しない態様の電子看板であっても良い。電子看板は、フラットな平面状を成す形態であってもよい。これにより、電子看板を壁面等に掲げて使用することで、設置スペースの少ない店舗等でも使用することが可能となる。また、電子看板は、外側に筐体を成す形態であってもよい。これにより、電子看板を路面、店舗のフロア、カウンター等に立てて設置でき、通行人にインパクトある電子看板を得ることができる。なお、この筐体は、電子看板の額縁部材６を兼ねるようにしても良い。【００７５】
また、ＲＦＩＤリーダライタ８，１２，１４を固定板４に設けたが、反射板３ｂの背面に直接取り付けてもよい。また、上記実施形態では、ＵＲＬ等のデータの書き換え制御を、ポスター２に設けた更新専用タグ７で行う構成であったが、本発明はこれに限定されない。例えば、広告物の差し替え作業者が、更新用指示データを記憶させた更新専用タグを所有し、広告物を差し替えるときには、更新専用タグをＲＦＩＤリーダライタ８、１２，１４にかざすようにする。この結果、ポスター２の差し替え作業と同様に、更新用指示データを、新しいリンク先のデータとしてＲＦＩＤリーダライタ８，１２，１４に簡単に上書きすることが可能である。更に本実施形態ではリーダライタが、電源を用いて電気的に動作する構造に限って示したが、本発明はこれに限定されず、外部タグ側が電気的に動作する制御部を備える場合には、リーダライタ側がＲＦＩＤタグのみで構成されていても良い。【００７６】
この変形例によれば、作業者が把持する更新専用タグをＲＦＩＤリーダライタにかざすだけで、旧いデータが、新しいリンク先のデータとして非接触で自動的に上書きして記憶できる。これにより、リーダライタを複数内蔵する電子看板であって、ポスターの差し替え時における更新用指示データが多数に及んでも、これらの上書きを一括して行える。さらに、ポスターに更新専用タグ７を設ける必要がなくなり、製作コストを低減化できる利点もある。
【産業上の利用可能性】
【００７７】
本発明の電子看板及び情報更新方法は、更新用指示データを格納させた更新専用タグを利用することで、ポスターの差し替え時に必須のデータ更新を非接触で一括して実行でき、かつ、作業能率の向上、適正かつ正確なコンテンツの提供が可能となる。
【図１】
2009028205.tif 000003
【図２】
2009028205.tif 000004
【図３】
2009028205.tif 000005
【図４】
2009028205.tif 000006
【図５】
2009028205.tif 000007
【図６】
2009028205.tif 000008
【図７】
2009028205.tif 000009
【図８】
2009028205.tif 000010
【図９】
2009028205.tif 000011
【図１０】
2009028205.tif 000012
【図１１】
2009028205.tif 000013
【国際調査報告】
2009028205.tif 000014
2009028205.tif 000015
2009028205.tif 000016
2009028205.tif 000017